(57)【要約】【課題】寒冷地で使用する畜舎であって、屋根裏に水滴が溜まりにくい構造の畜舎を提供する。【解決手段】図（ａ）の比較例では、屋根１４に直接換気扇３０が取付けられている。空気の流れは、換気扇３０の直下で盛んになり、換気扇３０と隣の換気扇３０との中間部分では空気の淀み３６が発生する。空気が湿っており、外気が屋根１４が低温に冷やされている場合には、換気扇３０と隣の換気扇３０との中間部分にて屋根１４裏に結露が生じる。この結露が纏まると水滴となって落下する。図（ｂ）の実施例では、屋根１４下の空気が一旦小屋根２３の下に集められ、その後に換気扇３０で排出される。すなわち、小屋根２３と小壁２２とにより、空気の流れを平均化できるため、図（ａ）に示す空気の淀み３６の発生を抑えることができる。【選択図】図５
2018126161.tif 000002
【特許請求の範囲】
【請求項１】
直線状の棟部を有する屋根と、前記棟部に平行に延びると共に窓を有する壁とを備える畜舎において、
前記棟部が直線状に延びる細長い開口部とされ、この開口部の縁から上へ密閉性のよい小壁が延ばされ、小壁の上に密閉性のよい小屋根が掛けられ、この小屋根に所定ピッチで複数個の換気扇が設けられ、
前記屋根の下方の空気が、前記小屋根の下を通って、前記換気扇で外へ排出されることを特徴とする畜舎。
【請求項２】
前記畜舎は、乳牛の飼育に供する建物であることを特徴とする請求項１記載の畜舎。
【請求項３】
前記屋根は、切妻屋根又は腰折れ屋根であることを特徴とする請求項１記載の畜舎。
【請求項４】
前記窓は、前記壁の上部と下部に各々設けられており、各々カーテン又はシャッタを備えていることを特徴とする請求項１記載の畜舎。
【請求項５】
前記換気扇は、前記小屋根から上に延びる筒体と、この筒体に収められる回転翼と、前記筒体で支持され前記回転翼を回すモータと、前記筒体の上部開口に被せた傘とからなり、この傘の外径が前記筒体の外径より大きいことを特徴とする請求項１記載の畜舎。
【発明の詳細な説明】
【技術分野】
【０００１】
本発明は、牛舎に好適な畜舎に関する。
【背景技術】
【０００２】
寒冷地においては、乳牛は、牛舎で飼育される。多くの牛舎は、壁に大きな窓を備え、窓から外気を取り入れ、汚れて温まった空気を窓又は排気口から排出する構造のものであった。しかし、牛、特に乳牛は、温度変化に敏感である。従来の自然換気では温度管理が困難であるため、強制換気が必要になってきた。
そこで、強制換気機構を備えた牛舎が提案されてきた（例えば、特許文献１（図２、図３、図４参照）。
【０００３】
特許文献１の図２に示されるように、鶏舎（１０）（括弧付き数字は特許文献１記載の符号を示す。以下同様）の屋根（１５）に、５個の風雨防護部（２２）が点々と配置されている。
【０００４】
特許文献１の図３に示されるように、風雨防護部（２２）では、固定部（３５）と称する筒が垂直に配置され、この固定部（３５）の下端から変形部（３４）と称する蛇腹管が鶏舎（１０）内へ深く延ばされている。
特許文献１の図４に示されるように、筒状の固定部（３５）内にファン（３２）が配置されている。
【０００５】
変形部（３４）が鶏舎（１０）内部に深く降ろされるため、鶏舎（１０）内の必要な箇所から局部的に汚れた空気を外部へ排出することができる。
【０００６】
一方、特許文献１の図３において、屋根（１５）は変形部（３４）の下端から離れているため、屋根（１５）の下に空気が滞留する。鶏に比較して乳牛は、身体が格段に大きく体表面積が大きいため、発汗量は甚大である。この発汗により湿った空気が上昇し、屋根（１５）の下面に当たる。
【０００７】
冬期は屋根（１５）が低温であるため、屋根（１５）の下面に結露が生じる。この結露がある程度まとまると、水滴となって落下する。
乳牛は、敏感であるため、身体に水滴が当たるだけで、乳の出が悪くなる。
【０００８】
すなわち、特許文献１は、鶏舎に好適であるものの、牛舎には不向きである。
そこで、寒冷地で使用する畜舎であって、屋根裏に水滴が溜まりにくい構造の畜舎が求められる。
【先行技術文献】
【特許文献】
【０００９】
【特許文献１】特開２０１０−１０４３００号公報
【発明の概要】
【発明が解決しようとする課題】
【００１０】
本発明は、寒冷地で使用する畜舎であって、屋根裏に水滴が溜まりにくい構造の畜舎を提供することを課題とする。
【課題を解決するための手段】
【００１１】
請求項１に係る発明は、直線状の棟部を有する屋根と、前記棟部に平行に延びると共に窓を有する壁とを備える畜舎において、
前記棟部が直線状に延びる細長い開口部とされ、この開口部の縁から上へ密閉性のよい小壁が延ばされ、小壁の上に密閉性のよい小屋根が掛けられ、この小屋根に所定ピッチで複数個の換気扇が設けられ、
前記屋根の下方の空気が、前記小屋根の下を通って、前記換気扇で外へ排出されることを特徴とする。
【００１２】
請求項２に係る発明では、畜舎は、乳牛の飼育に供する建物であることを特徴とする。
【００１３】
請求項３に係る発明では、屋根は、切妻屋根又は腰折れ屋根であることを特徴とする。
【００１４】
請求項４に係る発明では、窓は、壁の上部と下部に各々設けられており、各々カーテン又はシャッタを備えていることを特徴とする。
【００１５】
請求項５に係る発明では、換気扇は、小屋根から上に延びる筒体と、この筒体に収められる回転翼と、筒体で支持され回転翼を回すモータと、筒体の上部開口に被せた傘とからなり、この傘の外径が筒体の外径より大きいことを特徴とする。
【発明の効果】
【００１６】
請求項１に係る発明では、屋根の棟部に、細長い開口部が設けられ、この開口部に小壁が立てられ小壁に小屋根が掛けられ、小屋根に複数個の換気扇が取付けられている。
屋根の下方の空気は、小屋根の下を通って換気扇で外へ排出される。小壁と小屋根が空気を集める役割を果たすため、屋根裏に局部的に空気が滞留する心配はない。滞留しないため屋根裏に水滴が発生する心配はない。発生したとしても水滴の量は微量である。
よって、本発明によれば、屋根裏に水滴が溜まりにくい構造の畜舎が提供される。
【００１７】
請求項２に係る発明では、畜舎は、乳牛の飼育に供する建物である。本発明の畜舎は小壁、小屋根及び換気扇が必要であるため、従来の畜舎より高価になる。しかし、敏感な乳牛に水滴が落下する心配がないため、搾乳量の増加が期待できる。すなわち、本発明の畜舎は、牛舎に好適である。
【００１８】
請求項３に係る発明では、屋根は、切妻屋根又は腰折れ屋根である。切妻屋根又は腰折れ屋根であれば、棟部が中央にあり、屋根裏の換気が均等に行える。
【００１９】
請求項４に係る発明では、窓は、壁の上部と下部に各々設けられており、各々カーテン又はシャッタを備えている。強制換気の場合には上の窓を開放する。自然換気の場合は上の窓と下の窓の両方を開放する。畜舎の使い勝手がよくなる。
【００２０】
請求項５に係る発明では、回転翼を収納する筒体の上に大径の傘を被せた。大径の傘で雨や雪が筒体内へ侵入することを防止することができる。
【図面の簡単な説明】
【００２１】
【図１】本発明に係る畜舎の断面図である。
【図２】棟部の斜視図である。
【図３】棟部の断面図である。
【図４】図１の４−４線断面図である。
【図５】排気に係る空気の流れを説明する図である。
【発明を実施するための形態】
【００２２】
本発明の実施の形態を添付図に基づいて以下に説明する。なお、図面は符号の向きに見るものとする。
【実施例】
【００２３】
図１に示すように、畜舎１０は、切妻屋根（又は腰折れ屋根）を備える建物であって、柱１１と、この柱１１に掛けた屋根梁１２と、柱１１に取付けた壁１３と、屋根梁１２に載せた屋根１４とからなる。壁１３には上部窓１５と下部窓１６が設けられており、各々カーテン１７（又はシャッタ）を備えている。カーテン１７（又はシャッタ）は、人為的に開閉可能である
【００２４】
自然換気の場合に、上部窓１５と下部窓１６とを開放する。外気が下部窓１６から流入し、温まった空気が上部窓１５から出る。
強制換気については、後述する。
【００２５】
屋根１４の頂点である棟部１８には、図面表裏方向に延びる細長い開口部２１が設けられ、この開口部２１の縁から上へ小壁２２、２２が延ばされ、小壁２２、２２の上に小屋根２３が掛けられ、この小屋根２３に換気扇３０が設けられている。
【００２６】
図２に示すように、棟部１８に、左右一対の小壁２２、２２が立てられ、小壁２２、２２の上に小屋根２３が掛けられ、この小屋根２３に所定のピンチＰで換気扇３０が設けられている。
小壁２２及び小屋根２３は、隙間を殆ど有しておらず、密閉性が良好である。
【００２７】
屋根１４は片流れ屋根やドーム屋根や陸屋根であってもよいが、屋根１４下の空気の排出を考えると切妻や腰折れが好適である。切妻や腰折れであれば、雪下ろしも楽になる。
【００２８】
図３に示すように、換気扇３０は、小屋根２３から上に延びる筒体３１と、この筒体３１に収められる回転翼３２と、筒体３１で支持され回転翼３２を回すモータ３３と、筒体３１の上部開口に被せた傘３４とからなる。傘３４は筒体３１より大径にすることで、雪や雨が筒体３１内へ侵入することを防止する。モータ３３で回転翼３２を回すことで、筒体３１内の空気を外へ排出することができる。
【００２９】
図４に示すように、換気扇３０は、所定のピンチＰで複数個（この例では６個）を小屋根２３に配置する。
【００３０】
以上の構成からなる本発明の畜舎１０における空気の流れ（強制換気）を図５に基づいて説明する。
図５（ａ）は比較例、図５（ｂ）が実施例である。
図５（ａ）の比較例では、小壁２２や小屋根２３が無く、屋根１４に直接換気扇３０が取付けられている。比較例であれば、小壁２２や小屋根２３が無い分、建築コストを抑えることができる。
【００３１】
しかし、空気の流れは、換気扇３０の直下で盛んになり、換気扇３０と隣の換気扇３０との中間部分では空気の淀み３６が発生する。冬期は空気が乾燥する。しかし、牛は体が大きいため、発汗により空気が湿る。すなわち、冬期であっても畜舎１０内の湿度は高くなる。
【００３２】
加えて、屋根１４が低温であるため、換気扇３０と隣の換気扇３０との中間部分にて屋根１４裏に結露が生じる。この結露が纏まると水滴となって落下する。畜舎１０が牛舎である場合は、水滴が乳牛に当たる。乳牛は神経質であるため、水滴が当たると搾乳量が減る。よって、図５（ａ）の構造は、改善の余地がある。
【００３３】
この点、図５（ｂ）の実施例では、屋根１４下の空気が一旦小屋根２３の下に集められ、その後に換気扇３０で排出される。すなわち、小屋根２３と小壁２２とにより、空気の流れを平均化できるため、図５（ａ）に示す空気の淀み３６の発生を抑えることができる。発生したとしても実害がない程度に縮小することができる。結果、屋根１４裏に水滴が溜まりにくい構造の畜舎１０が提供される。
【００３４】
尚、本発明は、牛舎の他、豚舎などの畜舎に適用可能である。鶏舎にも適用できる。動物園の獣舎に適用することも差し支えない。
【産業上の利用可能性】
【００３５】
本発明は、寒冷地に建てられる畜舎、特に牛舎に好適である。
【符号の説明】
【００３６】
１０…畜舎、１３…壁、１４…屋根、１５…上部窓、１６…下部窓、１７…カーテン、２１…開口部、２２…小壁、２３…小屋根、３０…換気扇、３１…筒体、３２…回転翼、３３…モータ、３４…傘、Ｐ…換気扇の取付けピッチ。
【図１】
2018126161.tif 000003
【図２】
2018126161.tif 000004
【図３】
2018126161.tif 000005
【図４】
2018126161.tif 000006
【図５】
2018126161.tif 000007